(57)【要約】      （修正有）【課題】ポケット等に入れた際に落ちにくい筆記具の提供と、落下防止機能を有していない筆記具に装着することでポケット等からの落下を防止することのできる落下防止具を提供をする。【解決手段】筆記具10の長手方向の一方向に開いた返し部材が筆記具の外周に周方向に沿って複数設けられた筆記具であって、返し部材が可撓性を有する材質で形成されている。【選択図】図１
2016215575.tif 000002
【特許請求の範囲】
【請求項１】
筆記具の前後方向のうち少なくとも一方向に開いた返し部材が筆記具の外周に周方向に沿って複数設けられており、
前記返し部材が可撓性を有する材質で形成されていることを特徴とする筆記具。
【請求項２】
前記返し部材が筆記具の外周に複数列設けられていることを特徴とする請求項１記載の筆記具。
【請求項３】
前記返し部材は筆記具のグリップ部に設けられており、
前記グリップ部には前記返し部材に対応する凹部が設けられていることを特徴とする請求項１又は２記載の筆記具。
【請求項４】
筆記具の表面に装着される落下防止具であって、
前後端が開放した筒状を呈し前記筆記具に直接装着される部材である装着体と、該装着体の外周に周方向に沿って複数設けられた返し部材と、を有し、
前記返し部材が、前後方向のうち少なくとも一方向に開いており、かつ可撓性を有する材質で形成されていることを特徴とする落下防止具。
【発明の詳細な説明】
【技術分野】
【０００１】
ポケット等から落下しにくい筆記具及び筆記具に装着することで落下しにくくする落下防止具に関する。
【背景技術】
【０００２】
筆記具を持ち運ぶ際に、筆箱等に入れずにポケットなどに入れることが多々ある。この場合は筆記具の軸筒、キャップ等の側面に設けられたクリップでポケット等の布地に挟むことで、ポケット内で筆記具を固定し、ポケットから筆記具が落下することを防ぐことができる。例えば、布地に対する十分な圧接力を有したクリップが、特許文献１に開示されている。
【先行技術文献】
【特許文献】
【０００３】
【特許文献１】特開２００７−２９０２６６号公報
【発明の概要】
【発明が解決しようとする課題】
【０００４】
しかし、ポケットに筆記具等のクリップで固定し忘れることもあり、この場合、筆記具は容易にポケットから落下してしまう。また、クリップの設けられていない筆記具もあり、こうした筆記具についてもポケット等からの落下を防止する必要がある。特に、工事現場等の高所で作業する場合に、筆記具を使用したり、持ち込んでしまったりした際に、高所からの落下を防ぐ必要がある。
そこで、本発明においては、ポケット等に入れた際に落ちにくい筆記具の提供と、落下防止機能を有していない筆記具に装着することでポケット等からの落下を防止することのできる落下防止具の提供を課題とする。
【課題を解決するための手段】
【０００５】
（第１の発明）
本発明における第１の発明は、筆記具10の前後方向のうち少なくとも一方向に開いた返し部材22が筆記具10の外周に周方向に沿って複数設けられた筆記具10であって、
前記返し部材22が可撓性を有する材質で形成されていることを特徴とする。
本発明における筆記具10は上記のような構成になっているため、返し部材22が前後方向の一方向に開いている場合であって、返し部材22が開いている方向に沿ってポケット40等に収納する場合には、返し部材22に筆記具10の軸心に向かう力が加わるため、開いていた返し部材22は筆記具10の軸心に向かって閉じるように変形する。一方、このように収納された筆記具10にポケット40の入口に向かう重力がかかった場合、周方向に沿って複数設けられた返し部材22の少なくとも一つがポケット40の内側側面に引っかかり、引っかかった返し部材22が筆記具10の周方向に向かって開くため、筆記具10がポケット40から落下することを防ぐことができる。また、取り出す際にはポケット40に引っかかるものの、返し部材22が可撓性を有しており、変形するため、取り出し難いということはない。よって、本発明における筆記具10は、落下しないようにすることを意識してクリップ11等でポケット40等に固定しなくても、ポケット40等からの落下が起こりにくい。
また、返し部材22が前後方向の一方向に開いているものと、その逆を開いているものと両方を筆記具10に設けてもよい。こうすることで、筆記具10の前後端のうち、どちら側からポケット40等に入れても、筆記具10をポケット40等から落下しにくくすることができる。
【０００６】
（第２の発明）
本発明における第２の発明は、第１の発明に加え、前記返し部材22が筆記具10の外周に複数列設けられていることを特徴とする。
返し部材22が複数列設けられているため、筆記具10がポケット40等から落下しそうになった際に返し部材22が一列しかない場合に比べて、多くの返し部材22で筆記具10を支えるため、より落ちにくい。
【０００７】
（第３の発明）
本発明における第３の発明は、第１又は２の発明に加え、前記返し部材22が筆記具10のグリップ部20に設けられており、
前記グリップ部20には前記返し部材22に対応する凹部23が設けられていることを特徴とする。
返し部材22に対応する凹部23が設けられているため、グリップ部20を持ち、返し部材22を側面から指で押さえた際に、返し部材22が凹部23に収まるため、返し部材22の凹凸をあまり気にせずにグリップ部20を持つことができる。
【０００８】
（第４の発明）
本発明における第４の発明は、筆記具の表面に装着される落下防止具30であって、
前後端が開放した筒状を呈し前記筆記具に直接装着される部材である装着体31と、該装着体31の外周に周方向に沿って複数設けられた返し部材32と、を有し、
前記返し部材32が、前後方向のうち少なくとも一方向に開いており、かつ可撓性を有する材質で形成されていることを特徴とする。
ここで、第４の発明における前後方向とは、落下防止具30を筆記具に装着した際の筆記具の前後方向を言うこととする。
【０００９】
この落下防止具30は前後端が開放した筒状を呈しているため、鉛筆やボールペン、サインペン等の棒状部分を有する筆記具に装着できる。
そして、この落下防止具30を、落下防止機能を有していない筆記具50に装着することで、前述のように返し部材32がポケット40等に引っかかるため、筆記具50が落下することを防ぐことができる。
なお、第４の発明における落下防止具30は第１から第３の発明における筆記具10に装着してもよく、また、落下防止機能を有していない筆記具50に装着してもよい。
なお、返し部材32が前後方向の一方向に開いているものと、その逆を開いているものと両方を落下防止具30に設けてもよい。これにより、返し部材32の開いている向きを気にせずに落下防止具30を筆記具に装着できる。
【発明の効果】
【００１０】
以上のように構成されているため、本発明における筆記具は、ポケット等に入れた際に落ちにくく、かつ出し入れすることができる。また、本発明における落下防止具を、落下防止機能を有していない筆記具に装着することで落下しにくくすることができる。
【図面の簡単な説明】
【００１１】
【図１】第１の実施の形態にかかる筆記具の斜視図である。
【図２】第１の実施の形態にかかるグリップ部の斜視図（Ａ）、Ｉ−Ｉ断面図（Ｂ）及びＩＩ−ＩＩ断面図（Ｃ）である。
【図３】第１の実施の形態にかかる筆記具を胸ポケットに入れた際のポケット部分を拡大した部分断面図である。
【図４】第２の実施の形態にかかる落下防止具の斜視図（Ａ）、正面図（Ｂ）、ＩＩＩ―ＩＩＩ断面図（Ｃ）である。
【図５】第２の実施形態にかかる落下防止具の使用例の正面図（Ａ）及び断面図（Ｂ）である。
【発明を実施するための形態】
【００１２】
（第１の実施の形態）
第１の実施の形態においては、筆記具であるボールペン10の筆記先端側を前とし、その逆を後とする。
第１の実施の形態は、ノック式のボールペン10であって、図１に示すように、筆記する際の持ち手部分に可撓性を有する材質からなるグリップ部20が設けられている。ここで述べる可撓性を有する材質とは、ゴム・エラストマーに代表される粘弾性材料が好ましいが、後述の返し部材22が変形可能であれば合成樹脂、金属等を用いてもよい。また、ボールペン10の後端外周にはクリップ11が形成されている。なお、ノック式のボールペン10の機構については従来の機構と同じである。また、本実施の形態においてはノック式のボールペン10としたがこれに限ったものではなくシャープペンシルや複式筆記具、キャップ付きボールペン等、筆記具であればよい。
【００１３】
グリップ部20は、図２（Ａ）に示すようにグリップ部20の本体となる前後端が開放した筒状を呈する装着体21と、この装着体21の外周に周方向に沿って複数設けられた矩形の返し部材22と、前記返し部材22に対応して装着体21をくり抜いて形成した凹部23と、からなる。
返し部材22は後方に開くように形成されている。
返し部材22及び凹部23は、図２（Ｂ）に示すように、周方向に沿って８個設けられている。また、この８個の返し部材22及び凹部23は、図２（Ｃ）に示すように、グリップ部20の前後方向に並列に４列設けられている。
グリップ部20に設けられた凹部23は、図２（Ｃ）に示すように、装着体21を矩形の返し部材22よりも僅かに大きな矩形状に装着体21をくり抜くことで形成されている。
【００１４】
以上のように構成されたボールペン10を、図３に示すように、ボールペン10の先端を下にして洋服の胸ポケット40に入れる場合を考える。この場合、返し部材22が開いている方向に沿ってポケット40に収納するため、返し部材22にはポケット40の内側側面からボールペン10の軸心に向かう力が加わる。また、この返し部材22が可撓性を有するため、後方に開いていた返し部材22はボールペン10の軸心に向かって閉じるように変形する。そのため、ボールペン10の先端を下にしてポケット40に入れる場合、返し部材22がポケット40に引っかかることはなく、スムーズに入れることができる。
【００１５】
一方、前屈み等して、ポケット40の入口が下を向いた場合、収納されたボールペン10にはポケット40の入口に向かう重力がかかる。しかし、返し部材22がポケット40の内側側面に引っかかり、返し部材22がボールペン10の周方向に向かって開くため、ボールペン10がポケット40から落下することを防ぐことができる。
また、取り出す場合にあっては、返し部材22が可撓性を有し、容易に変形するため、取り出し難いということはない。
また、グリップ部20を持って筆記する場合にあっては、返し部材22を側面から指で押さえるが、凹部23が形成されているため、返し部材22が凹部23に収まる。そのため、返し部材22の凹凸をあまり気にせず筆記できる。
【００１６】
なお、本実施の形態においてはグリップ部20全体が可撓性を有する材質から形成されているとしたが、少なくとも返し部材22が可撓性を有する材質から形成されていればよい。
なお、このグリップ部20は、本実施の形態にかかるボールペン10に装着せずに、落下防止機能を有していない筆記具50に装着することで、こうした落下防止機能を有していない筆記具50に落下防止機能を付与する落下防止具30にもなる。
なお、返し部材22をグリップ部20に設けたが、ボールペン10の外周であればどこに設けてもよい。例えば、キャップ付きのボールペンのキャップの外周に二色成形等によって返し部材22を設けてもよい。また、返し部材22は後方に開くように形成したが、これに限らず、ボールペン10を収納する際にボールペン10を入れる方向とは逆向きに開くように形成すればよい。また、前方に開いた返し部材22と後方に開いた返し部材22と両方設けることで、ボールペン10を前後端のうち、どちら側からポケット40に入れても、ボールペン10をポケット40から落下しにくくすることができる。
【００１７】
（第２の実施の形態）
第２の実施の形態において、サインペン50の小径側を前又は先とし、サインペン50の大径側を後とする。また、落下防止具30の前後方向とは、落下防止具30をサインペン50に装着した際のサインペン50の前後方向を言うこととする。
第２の実施の形態は、図４（Ａ）及び図５（Ａ）に示すように、サインペン50の表面に装着される筒状の落下防止具30に関する。この落下防止具30は、筒状の装着体31と、この装着体31の外周に周方向に沿って複数設けられた矩形の返し部材32と、からなる。装着体31及び返し部材32は可撓性を有する材質によって一体成形されている。
【００１８】
装着体31は、図５（Ａ）に示すように、前後端が開放した筒状を呈しており、サインペン50の後端部分に着脱可能に形成されている。また、装着体31の内周には、図４（Ｃ）及び図５（Ｂ）に示すように、後述する太芯キャップ55の外周に沿って複数形成された溝56と嵌合する突条部33が２列形成されている。
返し部材32は、図４（Ａ）に示すように、装着体31の前後方向の一方向に開くように形成されており、図４（Ｂ）に示すように、装着体31の外周に周方向に沿って１０個設けられている。また、この１０個の返し部材32は、図４（Ｃ）に示すように、装着体31の外周に２列形成されており、２列の返し部材32は、互いに、周方向に沿って形成された隣同士の返し部材32の間に位置するように設けられている。
【００１９】
以上のように構成された落下防止具30は、図５（Ａ）に示すように、サインペン50の後端部分に装着できる。
本実施の形態にかかる落下防止具30を装着できるサインペン50は、図５（Ｂ）に示すように、両端に芯の形状が異なる筆記芯52を設けた軸体51と、この軸体51の後端に着脱可能に形成された太芯キャップ55と、この軸体51の先端に着脱可能に形成された細芯キャップ57と、からなる。
軸体51の両端にはフェルト生地で形成された筆記芯52が設けられており、軸体51の後端には、太い描線を描くことのできる太芯53が、軸体51の先端には、細い描線を描くことのできる細芯54が、設けられている。
太芯キャップ55の外周には、前述の装着体31の内周に形成された突条部33と嵌合する溝56が複数形成されている。
【００２０】
本実施の形態にかかるサインペン50にはクリップ等、ポケット40に引っかける部分は設けられていない。そのため、落下防止具30を装着しないままポケット40に入れると、サインペン50の自重に逆らうことなくポケット40の中を動く。一方、このサインペン50の太芯キャップ55に、図５（Ａ）及び（Ｂ）に示すように、サインペン50の後方に向かって返し部材32が開くように落下防止具30を装着する。この状態で、サインペン50の先端からポケット40に入れると、第１の実施の形態と同様、返し部材32がポケット40に引っかかるため、サインペン50がポケット40から落下しにくくなる。よって、本実施の形態におけるサインペン50のように、落下防止機能を有していない筆記具50に、この落下防止具30を装着するだけで、ポケット40から落下しにくくすることができる。
【００２１】
ここで、太芯キャップ55の溝56に落下防止具30の突条部33が嵌合するように装着することで、落下防止具30がサインペン50から外れにくくなる。
なお、本実施の形態においては、サインペン50の太芯キャップ55に装着できる落下防止具30としたが、細芯キャップ57に装着できるようにしてもよい。また、サインペン50に限らず、装着体31の内径を調整すれば、サインペン50以外の筆記具に用いてもよい。なお、筆記具に限らず、例えば定規等の比較的軽いものに装着することで、落下しにくくすることもできる。また、第１の実施の形態にかかる、ボールペン10に装着することもできる。この際、ボールペン10に設けられた返し部材22の開いている向きと落下防止具30の返し部材32の開いている向きとが逆になるように、ボールペン10に落下防止具30を装着するとよい。このように装着することで、ボールペン10を前後端のうち、どちら側からポケット40に入れても落下しにくくすることができる。
【００２２】
なお、装着体31と返し部材32とは可撓性を有する材質から一体成形されているとしたが、装着体31と返し部材32とを異なる材質から形成してもよく、この場合、少なくとも返し部材32が可撓性を有する材質から形成されていればよい。
なお、返し部材32が前後方向の一方向に開いているものと、その逆を開いているものと両方を落下防止具30に設けてもよい。これにより、返し部材32の開いている向きを気にせずに落下防止具30をサインペン50に装着できる。
【産業上の利用可能性】
【００２３】
特に落下を防ぐ必要のある、工事現場等の高所で用いる筆記具に利用できる。
【符号の説明】
【００２４】
10  筆記具、ボールペン                11  クリップ
20  グリップ部                        21  装着体
22  返し部材                          23  凹部
30  落下防止具                        31  装着体
32  返し部材                          33  突条部
40  ポケット
50  落下防止機能を有していない筆記具、サインペン
51  軸体                            52  筆記芯
53  太芯                            54  細芯
55  太芯キャップ                    56  溝
57  細芯キャップ
【図１】
2016215575.tif 000003
【図２】
2016215575.tif 000004
【図３】
2016215575.tif 000005
【図４】
2016215575.tif 000006
【図５】
2016215575.tif 000007